(57)【特許請求の範囲】
【請求項１】
透光性パネルと、
該透光性パネルが嵌まる開口を有し、該開口は、透光性パネルの周面と対向する内壁面と、該内壁面から内向きに延設され、透光性パネルの裏面周縁と対向する内底面と、を具えるケーシングと、
を準備し、
前記透光性パネルの周面と前記ケーシングの内壁面、及び、前記透光性パネルの裏面周縁と前記ケーシングの内底面との間に隙間を存した状態で射出成形用の金型に装着し、前記隙間に液状シリコーン樹脂を充填して冷却することにより、硬化したシリコーン樹脂によって前記透光性パネルを前記ケーシングに装着する、
透光性パネルをケーシングに取り付ける方法。
【請求項２】
前記透光性パネルは、前記金型への装着前に、前記周面及び前記裏面周縁にプライマー塗装が施される、
請求項１に記載の透光性パネルをケーシングに取り付ける方法。
【発明の詳細な説明】
【技術分野】
【０００１】
本発明は、透光性パネルの取付構造及び該取付構造を有する携帯型電子機器に関するものである。
【背景技術】
【０００２】
携帯電話機やスマートフォンの如き携帯型電子機器では、ケーシングの内部に配置されたタッチパネルや表示面を保護するために、ガラスなどの透光性パネルがケーシングに形成された開口に取り付けられている。透光性パネルの周面は額縁の如くケーシングで包囲されている。
【０００３】
ケーシングには、開口を構成する内壁面の下端から内向きに内底面が延設され、透光性パネルの裏面周縁を前記内底面に両面テープで貼着することで、透光性パネルはケーシングに取り付けられる(例えば、特許文献１参照)。
【先行技術文献】
【特許文献】
【０００４】
【特許文献１】特開２００７−３０４３９０号公報
【発明の概要】
【発明が解決しようとする課題】
【０００５】
両面テープによる透光性パネルの接着性を確保し、透光性パネルと内底面との間の防水性を確保するために、内底面は、全周に亘って２ｍｍを越えるような出幅とする必要がある。
【０００６】
その結果、透光性パネルの周縁は、少なくとも２ｍｍを越える幅がタッチパネルや表示面の操作や視認ができない無効な領域となる。このため、透光性パネルの操作や視認のできる有効面積に比して、無効面積を大きく採らざるを得ず、携帯型電子機器の大型化や透光性パネルの大型化及び重量増に繋がる。これに伴い、携帯型電子機器が大型化し、デザイン性を損なってしまうこともある。
【０００７】
また、透光性パネルが大型化する結果、これを支持するケーシング自体も十分な強度を具備しなければならず、透光性パネルの周面を包囲する額縁部分が幅広になって、携帯型電子機器が大型化し、デザイン性を損ねてしまう。
【０００８】
本発明の目的は、透光性パネルの操作や視認のできない無効面積を小さくでき、額縁部分を幅狭化できる透光性パネルの取付構造及びこれを具える携帯型電子機器を提供することである。
【課題を解決するための手段】
【０００９】
本発明の一実施形態に係る透光性パネルの取付構造は、
透光性パネルと、
該透光性パネルが嵌まる開口を有し、該開口は、透光性パネルの周面と対向する内壁面と、該内壁面から内向きに延設され、透光性パネルの裏面周縁と対向する内底面と、を具えるケーシングと、
前記透光性パネルの周面と前記ケーシングの内壁面、及び、前記透光性パネルの裏面周縁と前記ケーシングの内底面との間にシリコーン樹脂を充填してなるシリコーン樹脂層と、
を具える。
【発明の効果】
【００１０】
ケーシングと透光性パネルは、シリコーン樹脂層により強固に一体化される。ケーシングの内底面の出幅は、両面テープで固定する場合に比べて小さくできるから、透光性パネルの操作や視認が可能な有効面積を大きく採ることができる。
また、透光性パネルの無効面積が小さくなることで、透光性パネルの周面を包囲する額縁部分となるケーシングの幅狭化を達成できる。
【００１１】
透光性パネルの取付けにシリコーン樹脂を用いることで、すぐれた防水性を具備できると共に、透光性パネルのケーシングに対するクッション性も確保できる。
【図面の簡単な説明】
【００１２】
【図１】図１は、本発明の一実施形態に係る携帯型電子機器を透光性パネル側から見た正面図である。
【図２】図２は、本発明の一実施形態に係る携帯型電子機器の要部分解図である。
【図３】図３は、図２の線III−IIIに沿う矢視断面図である。
【図４】図４は、図３の丸囲み部IVの拡大図である。
【図５】図５は、シリコーン樹脂をケーシングと透光性パネルとの間に流し込む工程の一実施形態を示す拡大図である。
【発明を実施するための形態】
【００１３】
以下、本発明の一実施形態について、図面を参照しながら説明を行なう。
本発明を適用可能な携帯型電子機器(10)として、携帯電話機、スマートフォン、タブレット型コンピュータ、携帯型音楽プレーヤー、ノート型パソコンなどを例示することができる。なお、図示の携帯型電子機器(10)は、後述するとおり、内部にタッチパネル(14)と表示面(12)を収容しているが、タッチパネル(14)又は表示面(12)を必須として具備しなくてもよい。
【００１４】
図１は、携帯型電子機器(10)の一実施形態を示す正面図、図２乃至図４は、本発明の一実施形態に係る携帯型電子機器(10)の表示面(12)よりも前側(透光性パネル(30)側)の構造を示す分解斜視図、断面図及び拡大図である。
【００１５】
本実施形態に係る携帯型電子機器(10)は、図２及び図３に示すように、外装となるフロントケーシング(20)にシリコーン樹脂層(40)を介して透光性パネル(30)を装着したものである。透光性パネル(30)の裏面側には、タッチパネル(14)、表示面(12)、インナーシャーシ(16)が取り付けられる。インナーシャーシ(16)の裏面側には、図示しないが、携帯型電子機器(10)の制御等を行なう制御基板、バッテリ、その他通信、通話等に必要な電子部品が収容され、バックケーシングにより塞がれる。
【００１６】
フロントケーシング(20)(本発明における「ケーシング」に相当する)は、前面に開口(21)を形成した枠状のフレーム(22)であり、該開口(21)に透光性パネル(30)が取り付けられ、透光性パネル(30)を支持すると共に、透光性パネル(30)の周面(31)を包囲して保護する額縁部分となる。
【００１７】
フロントケーシング(20)は、プラスチックなどの樹脂の射出成形品を採用することができる。フロントケーシング(20)には、予め塗装や鏡面加工を施しておくことができる。なお、透光性パネル(30)を装着した後に塗装や鏡面加工を施してもよい。
【００１８】
拡大図４に示すように、フロントケーシング(20)は、フレーム(22)の表面から裏面側に向けて内壁面(23)が形成されており、内壁面(23)の下端には内壁面(23)から内向きに延設された内底面(24)を具え、透光性パネル(30)の装着される開口(21)を構成する。
【００１９】
内壁面(23)の高さ(Ｄ)、即ち、フレーム(22)の表面から内底面(24)までの深さは、装着される透光性パネル(30)の厚さと後述するシリコーン樹脂層(40)の厚さにより規定され、これらの厚さの合計と同じ程度とすることができる。
【００２０】
また、内底面(24)の出幅(Ｅ)は、透光性パネル(30)をシリコーン樹脂層(40)により一体化し、透光性パネル(30)を脱落不能に保持できるために必要な幅とする。出幅(Ｅ)は、２ｍｍ以下とすることが適当であり、望ましくは０.５ｍｍ〜１ｍｍ程度で足りる。
【００２１】
フロントケーシング(20)には、内底面(24)の裏側に図４に示すように、インナーシャーシ(16)が接着(17)等により接合されるシャーシ取付面(26)が形成されている。
その他、フロントケーシング(20)には、バックケーシングと連結するための１又は複数の取付用部材(27)(図２参照)が形成されている。
【００２２】
フロントケーシング(20)の開口(21)に装着される透光性パネル(30)は、光透過性のパネルであり、ガラスパネル、樹脂製パネルなどを例示できる。透光性パネル(30)は、フロントケーシング(20)の内部に収容される表示面(12)やタッチパネル(14)の保護部材としての役目を有する。必要に応じて、透光性パネル(30)の表面及び／又は裏面には、保護用のコーティングを施すことができる。
【００２３】
透光性パネル(30)の形状は、開口(21)に応じて規定される。開口(21)が略矩形である場合には、透光性パネル(30)の周面(31)の形状も略矩形に形成され、後述するようにシリコーン樹脂層(40)により一体化するために、透光性パネル(30)は、シリコーン樹脂層(40)の厚さ分だけ開口(21)よりも大きさ及び厚さを小さく形成する。
【００２４】
透光性パネル(30)は、シリコーン樹脂が接合される周面(31)及び裏面周縁にシリコーン樹脂との接着性を高めるためにプライマー塗装を施しておくことが望ましい。
【００２５】
上記構成のフロントケーシング(20)と透光性パネル(30)は、シリコーンゴムなどのシリコーン樹脂により一体化して接合される。
【００２６】
図５は、フロントケーシング(20)と透光性パネル(30)との間にシリコーン樹脂を充填する金型(50)(50)の一実施形態を示している。
図に示すように、フロントケーシング(20)と透光性パネル(30)は、フロントケーシング(20)の内壁面(23)と透光性パネル(30)の周面(31)、フロントケーシング(20)の内底面(24)と透光性パネル(30)の裏面周縁との間に所定の隙間(Ｐ、Ｐ’)を存した状態で射出成形用金型(50)(50)に装着される。この状態で、図示省略するゲートから前記隙間(Ｐ、Ｐ’)に液状シリコーン樹脂(Ｓ)を流し込み、冷却する。これにより、シリコーン樹脂が硬化してシリコーン樹脂層(40)となり、透光性パネル(30)をフロントケーシング(20)に装着できる。
【００２７】
シリコーン樹脂層(40)の厚さは、開口(21)の大きさ、内底面(24)の出幅(Ｅ)、透光性パネル(30)の重量、厚さ等により適宜調整される。図示の実施例では、シリコーン樹脂の厚さは、約０.１ｍｍである。
【００２８】
上記要領にてフロントケーシング(20)に装着された透光性パネル(30)の裏面には、図２乃至図４に示すようにタッチパネル(14)、表示面(12)が取り付けられる。
【００２９】
タッチパネル(14)として、静電容量式、抵抗膜方式のものを例示できるが、これらに限定されるものではない。タッチパネルによっては、透光性パネル(30)に電極や電極膜を配置し、透光性パネル(30)とタッチパネルを兼ねる構成となることもあり、この場合はタッチパネルを兼ねる透光性パネル(30)に本発明を適用すればよい。
【００３０】
同様に、表示面(12)として、液晶表示パネルを例示できるが、これに限定されるものではない。
【００３１】
タッチパネル(14)及び表示面(12)を取り付けた後、インナーシャーシ(16)をフロントケーシング(20)のシャーシ取付面(26)に接着し、必要な電子部品をインナーシャーシ(16)に実装して、フロントケーシング(20)とバックケーシングを取付用部材(27)などを係合等することで携帯型電子機器(10)を得る。
【００３２】
本発明の携帯型電子機器(10)は、両面テープにより透光性パネルを取り付けた場合に比して、フロントケーシング(20)の内底面(24)の出幅(Ｅ)を可及的に小さくして、透光性パネル(30)の操作や視認ができない無効面積も小さくすることができる。このため、透光性パネル(30)は、無効面積に対してタッチパネル(14)や表地面(12)と対向する有効面積を大きく採ることができる。また、タッチパネル(14)や表示面(12)に対する透光性パネル(30)の大きさを小さくできるから、透光性パネル(30)の小型化、軽量化を達成できる。
【００３３】
さらに、透光性パネル(30)を小さくでき、内底面(24)の出幅(Ｅ)も小さくできたことで、透光性パネル(30)を支持するフロントケーシング(20)についても、額縁部分となるフレーム(22)の幅(Ｗ：図１及び図４参照)を幅狭とすることができ、携帯型電子機器(10)の小型化、軽量化を達成できる。
【００３４】
フロントケーシング(20)の額縁部分を幅狭化できたことで、携帯型電子機器(10)のデザイン性を高めることができる。
【００３５】
フロントケーシング(20)と透光性パネル(30)とを一体化するシリコーン樹脂層(40)は、防水性、撥水性にすぐれるから、フロントケーシング(20)と透光性パネル(30)との間に別途防水のため加工等は不要とすることができる。
【００３６】
また、シリコーン樹脂層(40)は硬化しても適度な弾性を有しているから、シリコーン樹脂層(40)が透光性パネル(30)のクッション材の役割をなす。従って、携帯型電子機器(10)を落下させてしまったときなどの横からの応力に対してもすぐれた強度を具備できる。
【産業上の利用可能性】
【００３７】
本発明は、透光性パネルの操作や視認のできない無効面積を小さくでき、額縁部分を幅狭化できる透光性パネルの取付構造及びこれを具える携帯型電子機器として有用である。
【符号の説明】
【００３８】
(10)  携帯型電子機器
(12)  表示面
(14)  タッチパネル
(16)  インナーシャーシ
(20)  フロントケーシング(ケーシング)
(21)  開口
(23)  内壁面
(24)  内底面
(30)  透光性パネル
(40)  シリコーン樹脂層
【図１】
0005981189.tif 000002
【図２】
0005981189.tif 000003
【図３】
0005981189.tif 000004
【図４】
0005981189.tif 000005
【図５】
0005981189.tif 000006